(57)【要約】【解決手段】型枠保護具４は、支持板８と、掛止部９と、支持板８の表裏両側にそれぞれ取着した保護材（エラストマーやゴム）からなる当接板６，７とを備えている。掛止部９を側面型枠３に対し着脱可能に引き掛けてその側面型枠３をトンネル１の内周面１ａに持たせ掛けた状態で、裏側の当接板７が側面型枠３に面して接触するとともに、表側の当接板６がトンネル１の内周面１ａに面して接触する。【効果】トンネル１の内周面１ａや側面型枠３に損傷を与えないばかりではなく、それらに当接板６，７（保護材）を接触させる作業を容易にするとともに、それらの間に作業者の指を不用意に挟むことも防止することができる。【選択図】図１
2005282098.tif 000002
【特許請求の範囲】
【請求項１】
支持板と、掛止部と、この支持板の表裏両側にそれぞれ取着した保護材からなる当接板とを備え、この掛止部をコンクリート打設用型枠に対し着脱可能に引き掛けてそのコンクリート打設用型枠をトンネルの内周面に持たせ掛けた状態で、裏側の当接板がコンクリート打設用型枠に面するとともに、表側の当接板がトンネルの内周面に面することを特徴とするトンネル内のコンクリート打設用型枠保護具。
【請求項２】
前記保護材はエラストマーまたはゴムであることを特徴とする請求項１に記載のトンネル内のコンクリート打設用型枠保護具。
【請求項３】
前記掛止部は、前記支持板から裏側へ鉤状に折曲されて内側に溝部を有し、その溝部にコンクリート型枠が嵌め込まれてコンクリート打設用型枠に引き掛けられることを特徴とする請求項１または請求項２に記載のトンネル内のコンクリート打設用型枠保護具。
【発明の詳細な説明】
【技術分野】
【０００１】
本発明は、トンネル内でコンクリート打設用型枠をトンネルの内周面（コンクリート覆工面）に持たせ掛ける際に利用する型枠保護具に関するものである。
【背景技術】
【０００２】
従来、トンネル内で組み立てられたコンクリート打設用型枠支持装置で両側面型枠を取り付けたり取り外したりする。その際、図３に示すように、側面型枠３をトンネル１の内周面１ａ（コンクリート覆工面）に持たせ掛ける。その場合、一般に、型枠保護具４（保護材としての木板）を側面型枠３の上端部とトンネル１の内周面１ａとの間に挟むことにより、トンネル１の内周面１ａと側面型枠３の表面１３ａとの接触を避けてそれらに損傷を与えないようにしている。
【発明の開示】
【発明が解決しようとする課題】
【０００３】
しかし、作業者が側面型枠３を支えてトンネル１の内周面１ａに持たせ掛ける直前にそれらの間の僅かな隙間に型枠保護具４（木板）を挿入しているので、それらに型枠保護具４（木板）を接触させる作業が面倒であるとともに、トンネル１の内周面１ａと側面型枠３との間に作業者の指を不用意に挟むおそれがあった。また、それらの間で型枠保護具４（木板）が単に挟まれているだけであるために不用意に落下し、それらに損傷を与えるおそれがあった。
【０００４】
この発明は、トンネルの内周面やコンクリート打設用型枠に損傷を与えないばかりではなく、それらに保護材を接触させる作業を容易にするとともに、それらの間に作業者の指を不用意に挟むことも防止することを目的としている。
【課題を解決するための手段】
【０００５】
後記実施形態の図面（図１〜２）の符号を援用して本発明を説明する。
請求項１の発明にかかるトンネル（１）内のコンクリート打設用型枠保護具（４）は、下記のように構成されている。
【０００６】
この型枠保護具（４）は、支持板（８）と、掛止部（９）と、この支持板（８）の表裏両側にそれぞれ取着した保護材からなる当接板（６，７）とを備えている。この掛止部（９）をコンクリート打設用型枠（３）に対し着脱可能に引き掛けてそのコンクリート打設用型枠（３）をトンネル（１）の内周面（１ａ）に持たせ掛けた状態で、裏側の当接板（７）がコンクリート打設用型枠（３）に面するとともに、表側の当接板（６）がトンネル（１）の内周面（１ａ）に面する。この掛止部（９）としては、コンクリート打設用型枠（３）から落下しない程度に引き掛けることが可能であればよく、請求項３の発明にかかる掛止部（９）以外に、例えば、コンクリート打設用型枠（３）と型枠保護具（４）とに設けた孔にピンを挿入して引き掛けてもよい。この保護材としては、トンネル（１）の内周面（１ａ）やコンクリート打設用型枠（３）に損傷を与えない程度にそれらよりも硬度の小さい材質のものであればよく、請求項２の発明にかかるエラストマーやゴム以外に、その他の樹脂や木材などを利用してもよい。ちなみに、後記実施形態では支持板（８）と掛止部（９）とを金属により成形するとともに当接板（６，７）を保護材により成形しているが、支持板（８）と掛止部（９）と当接板（６，７）とを備えた型枠保護具（４）の全体をエラストマーやゴムなどの保護材により例えば一体に成形してもよい。
【０００７】
請求項１の発明では、保護材からなる当接板（６，７）がトンネル（１）の内周面（１ａ）やコンクリート打設用型枠（３）に接触するので、それらに損傷を与えないばかりではなく、型枠保護具（４）をその掛止部（９）でコンクリート打設用型枠（３）に引き掛けた後にそのコンクリート打設用型枠（３）をトンネル（１）の内周面（１ａ）に持たせ掛けることが可能となるので、従来の型枠保護具（４）と比較して、保護材からなる当接板（６，７）をトンネル（１）の内周面（１ａ）やコンクリート打設用型枠（３）に接触させる作業を容易にするとともに、トンネル（１）の内周面（１ａ）とコンクリート打設用型枠（３）との間に作業者の指を不用意に挟むことも防止することができる。
【０００８】
請求項１の発明を前提とする請求項２の発明において、前記保護材はエラストマーまたはゴムである。請求項２の発明では、請求項１の発明の効果を発揮させる保護材として適している。
【０００９】
請求項１または請求項２の発明を前提とする請求項３の発明において、前記掛止部（９）は、前記支持板（８）から裏側へ鉤状に折曲されて内側に溝部（１２）を有し、その溝部（１２）にコンクリート型枠（３）が嵌め込まれてコンクリート打設用型枠（３）に引き掛けられる。請求項３の発明では、型枠保護具（４）をその掛止部（９）でコンクリート打設用型枠（３）に対し着脱可能に引き掛け易くなる。
【発明の効果】
【００１０】
本発明は、トンネル（１）の内周面（１ａ）やコンクリート打設用型枠（３）に損傷を与えないばかりではなく、それらに当接板（６，７）を接触させる作業を容易にするとともに、それらの間に作業者の指を不用意に挟むことも防止することができる。
【発明を実施するための最良の形態】
【００１１】
以下、本発明の一実施形態にかかるトンネル内のコンクリート打設用型枠保護具について図１〜２を参照して説明する。
図１（ａ）に示すように、トンネル１内で組み立てられたコンクリート打設用型枠支持装置２で両側面型枠３を取り付けたり取り外したりする際、その両側面型枠３をトンネル１の内周面１ａ（コンクリート覆工面）に持たせ掛ける。そのような場合に図１（ｂ）に示す型枠保護具４を利用する。
【００１２】
この型枠保護具４は、金属からなる取付板５と、各種のエラストマーまたは各種のゴムからなる保護材である表裏両当接板６，７とを備えている。この取付板５においては平坦な支持板８の上端部に掛止部９が設けられている。この掛止部９は、支持板８の上端部から裏側へ鉤状に折曲された折曲板部１０と、この折曲板部１０の端部に取着されて下方へ延びる腕板部１１とからなる。この掛止部９の内側には支持板８の上端部と折曲板部１０と腕板部１１との間で溝部１２が形成されている。裏側の当接板７はこの溝部１２内に嵌め込まれ、この当接板７の上端部７ａが裏側へ鉤状に折曲されて折曲板部１０の内側に当てがわれている。なお、表側当接板６についてはトンネル１の内周面１ａと類似する色にしてその内周面１ａの汚れを避けることが好ましい。
【００１３】
図１（ｃ）及び図２に示すように前記両側面型枠３はその表側に型壁１３を有している。その型壁１３の上端部にその上方から型枠保護具４の掛止部９を押し下げてその掛止部９の溝部１２を嵌め込むと、この型壁１３の表面１３ａが裏側の当接板７に面して接触するとともに、腕板部１１がこの型壁１３の裏面側に面して接触した状態で、型枠保護具４を側面型枠３に対し簡単に引き掛けて取着させることができる。また、逆に、型壁１３の上端部からその上方へ型枠保護具４の掛止部９を引き上げてその掛止部９の溝部１２を抜くと、型枠保護具４を側面型枠３から簡単に離脱させることができる。そのようにして型枠保護具４をその掛止部９で側面型枠３に引き掛けた後にその側面型枠３をトンネル１の内周面１ａに持たせ掛けると、表側の当接板６がトンネル１の内周面１ａに面して接触する。
【図面の簡単な説明】
【００１４】
【図１】（ａ）はトンネル内を正面側から見て概略的に示す横断面図であり、（ｂ）は本実施形態にかかる型枠保護具を示す斜視図であり、（ｃ）は本実施形態にかかる型枠保護具を引き掛けた側面型枠を示す部分拡大断面図である。
【図２】本実施形態にかかる型枠保護具を引き掛けた側面型枠をトンネルの内周面に持たせ掛けた状態を示す部分断面図である。
【図３】側面型枠を従来の型枠保護具を介してトンネルの内周面に持たせ掛けた状態を示す部分断面図である。
【符号の説明】
【００１５】
１…トンネル、１ａ…トンネル内周面、３…側面型枠、４…型枠保護具、６，７…当接板、８…支持板、９…掛止部、１２…溝部。
【図１】
2005282098.tif 000003
【図２】
2005282098.tif 000004
【図３】
2005282098.tif 000005